(57)【特許請求の範囲】
【請求項１】
記録再生装置であって、
被写体を撮像する撮像部と、
表示部又は外部表示装置への出力部の少なくともいずれかと、
ハードディスクドライブと、
高画質モードで記録再生するディスクと低画質モードで記録再生するディスクとのいずれのディスクの記録再生にも対応するディスクドライブと、
起動時に初期設定することで、前記撮像部により撮像された前記被写体の画像を前記表示部に前記高画質モードで表示又は前記出力部に前記高画質モードで表示出力する表示出力部と、
前記表示出力部で表示出力した後、前記ハードディスクドライブ及び前記ディスクドライブのいずれが記録メディアであるかを認識する認識部と、
起動時に、前記ハードディスクドライブ又は前記ディスクドライブへの記録モードを前記高画質モードに初期設定する記録モード設定部と、
前記ディスクドライブに挿入されたディスクが前記高画質モードで記録再生するディスクか前記低画質モードで記録再生するディスクかを判断するディスク判定部と、
を備え、
前記認識部が、前記記録メディアが前記ディスクドライブであると認識し、且つ前記ディスク判定部が、前記挿入されたディスクが前記低画質モードで記録再生するディスクであると判定した場合に限り、
前記記録モード設定部は前記初期設定されたモードを前記低画質モードに変更し、
前記表示出力部は前記高画質モードでの表示又は表示出力を前記低画質モードでの表示又は表示出力に切り替える、
ことを特徴とする記録再生装置。
【請求項２】
被写体を撮像する撮像部と、表示部又は外部表示装置への出力部の少なくともいずれかと、ハードディスクドライブと、高画質モードで記録再生するディスクと低画質モードで記録再生するディスクとのいずれのディスクの記録再生にも対応するディスクドライブとを備えた記録再生装置の記録モード設定方法において、
起動時に初期設定することで、前記撮像部により撮像された前記被写体の画像を前記表示部に前記高画質モードで表示又は前記出力部に前記高画質モードで表示出力するステップと、
前記表示出力した後、前記ハードディスクドライブ及び前記ディスクドライブのいずれが記録メディアであるかを認識するステップと、
起動時に、前記ハードディスクドライブ又は前記ディスクドライブへの記録モードを前記高画質モードに初期設定するステップと、
前記ディスクドライブに挿入されたディスクが前記高画質モードで記録再生するディスクか前記低画質モードで記録再生するディスクかを判断するステップと、
を備え、
前記認識部が、前記記録メディアが前記ディスクドライブであると認識し、且つ前記ディスク判定部が、前記挿入されたディスクが前記低画質モードで記録再生するディスクであると判定した場合に限り、
前記記録モード設定部は前記初期設定されたモードを前記低画質モードに変更し、
前記表示出力部は前記高画質モードでの表示又は表示出力を前記低画質モードでの表示又は表示出力に切り替える、
ことを特徴とする記録再生装置の記録モード設定方法。
【発明の詳細な説明】
【技術分野】
【０００１】
本発明は、記録再生装置及び記録再生装置の記録モード設定方法に関し、特に、高画質（ＨＤ（High Definition）画質）モード及び低画質（ＳＤ（Standard Definition）画質）モードでの記録再生に対応する記録再生装置及び記録再生装置の記録モード設定方法に適用しても好適なものである。
【背景技術】
【０００２】
ハードディスクドライブとＢＤ（Blu-ray Disc）／ＤＶＤ（Digital Versatile Disc)ドライブの２つのドライブを搭載した記録再生装置が提案されている（例えば、特許文献１参照）。この記録再生装置は、例えば、ＨＤ画質モードに対応したビデオカメラなどがある。
【特許文献１】特開２００７−１２８５９９号公報
【発明の開示】
【発明が解決しようとする課題】
【０００３】
従来のＤＶＤドライブを搭載したビデオカメラでは、ＤＶＤの記録モードのデフォルト設定は、ＳＤ画質モードであった。しかし、上記のようなＨＤ画質モードに対応したビデオカメラでＤＶＤ／ＢＤ側の記録モードのデフォルト設定をＳＤ画質モードにすると以下のような問題が生じる。
【０００４】
ビデオカメラはＳＤ画質で起動し、このとき、モニターや外部表示画面への出力はＳＤ画質となる。そして、ビデオカメラはＢＤ／ＤＶＤドライブにディスクが挿入されていない場合は記録メディアとしてハードディスクドライブを使用する。ハードディスクドライブにおけるデータの記録再生は高画質が望ましいためハードディスクドライブの記録モードの設定はＨＤ画質モードのみとなっている場合がある。したがって、ビデオカメラの記録モードの設定がＳＤ画質モードからＨＤ画質モードに切り替わる。その際、モニター等の表示にノイズ等が発生し、表示が乱れるという現象が生じる。これはＢＤ／ＤＶＤドライブに挿入されたディスクの有無を判断するよりもモニター等への出力が先になされるため、記録モードの設定切り替え時の影響が画面に現れてしまうからである。また、既述のＢＤ／ＤＶＤドライブにディスクが挿入されていない場合の記録メディアはハードディスクドライブではなく、ＢＤ／ＤＶＤドライブへのディスク挿入待ちの場合もある。この場合、ＨＤ画質モードに対応したビデオカメラであるので、モニターや外部表示画面への出力は高画質であることが望ましく、ＳＤ画質モードからＨＤ画質モードへ切り替わり、既述同様の表示乱れが発生する。
【０００５】
また、ＢＤ／ＤＶＤドライブにＢＤが挿入されるとデータの記録再生はＨＤ画質が望ましいため、記録モードの設定がＳＤ画質モードからＨＤ画質モードに切り替わる。このときも、上記の場合と同様に、モニター等の表示にノイズ等が発生し、表示が乱れるという現象が生じることとなる。
【０００６】
一方、記録メディアがハードディスドライブからＢＤ／ＤＶＤドライブに切替えられ記録モードの初期設定が行なわれる場合にも、ＨＤ画質モードからＳＤ画質モードへ記録モードが切替わる。既述のようにハードディスクドライブは高画質が望ましいためハードディスクドライブの記録モードの設定はＨＤ画質のみとなっているとともにＢＤ／ＤＶＤ側の記録モードのデフォルト設定がＳＤ画質モードだからである。このときも上記の場合と同様に、モニター等の表示にノイズ等が発生し、表示が乱れるという現象が生じることとなる。また、ハードディスクドライブでＳＤ画質モードに対応している場合においても、記録モードがＨＤ画質モードであった場合、既述同様に表示乱れが生じる。逆に、ＢＤ／ＤＶＤドライブからハードディスクドライブに記録メディアが切り替わった場合、ディスク未挿入時の記録モードがＳＤ画質モードであって、ハードディスクドライブの記録モードがＨＤ画質モードであると、既述同様に表示乱れが生じる。
【０００７】
本発明は、以上の点を考慮してなされたもので、適切に情報を記録することができる記録再生装置及び記録再生装置の記録モード設定方法を提案しようとするものである。
【課題を解決するための手段】
【０００８】
本発明は、記録再生装置であって、被写体を撮像する撮像部と、表示部又は外部表示装置への出力部の少なくともいずれかと、ハードディスクドライブと、高画質モードで記録再生するディスクと低画質モードで記録再生するディスクとのいずれのディスクの記録再生にも対応するディスクドライブと、起動時に初期設定することで、前記撮像部により撮像された前記被写体の画像を前記表示部に前記高画質モードで表示又は前記出力部に前記高画質モードで表示出力する表示出力部と、前記表示出力部で表示出力した後、前記ハードディスクドライブ及び前記ディスクドライブのいずれが記録メディアであるかを認識する認識部と、起動時に、前記ハードディスクドライブ又は前記ディスクドライブへの記録モードを前記高画質モードに初期設定する記録モード設定部と、前記ディスクドライブに挿入されたディスクが前記高画質モードで記録再生するディスクか前記低画質モードで記録再生するディスクかを判断するディスク判定部と、を備え、前記認識部が、前記記録メディアが前記ディスクドライブであると認識し、且つ前記ディスク判定部が、前記挿入されたディスクが前記低画質モードで記録再生するディスクであると判定した場合に限り、前記記録モード設定部は前記初期設定されたモードを前記低画質モードに変更し、前記表示出力部は前記高画質モードでの表示又は表示出力を前記低画質モードでの表示又は表示出力に切り替える、記録再生装置を提供するものである。
また、本発明は、被写体を撮像する撮像部と、表示部又は外部表示装置への出力部の少なくともいずれかと、ハードディスクドライブと、高画質モードで記録再生するディスクと低画質モードで記録再生するディスクとのいずれのディスクの記録再生にも対応するディスクドライブとを備えた記録再生装置の記録モード設定方法において、起動時に初期設定することで、前記撮像部により撮像された前記被写体の画像を前記表示部に前記高画質モードで表示又は前記出力部に前記高画質モードで表示出力するステップと、前記表示出力した後、前記ハードディスクドライブ及び前記ディスクドライブのいずれが記録メディアであるかを認識するステップと、起動時に、前記ハードディスクドライブ又は前記ディスクドライブへの記録モードを前記高画質モードに初期設定するステップと、前記ディスクドライブに挿入されたディスクが前記高画質モードで記録再生するディスクか前記低画質モードで記録再生するディスクかを判断するステップと、を備え、前記認識部が、前記記録メディアが前記ディスクドライブであると認識し、且つ前記ディスク判定部が、前記挿入されたディスクが前記低画質モードで記録再生するディスクであると判定した場合に限り、前記記録モード設定部は前記初期設定されたモードを前記低画質モードに変更し、前記表示出力部は前記高画質モードでの表示又は表示出力を前記低画質モードでの表示又は表示出力に切り替える、記録再生装置の記録モード設定方法を提供するものである。
【発明の効果】
【０００９】
本発明によれば、適切に情報を記録することができる記録再生装置及び記録再生装置の記録モード設定方法を提案することができる。
【発明を実施するための最良の形態】
【００１０】
以下、本発明の一実施の形態について図面を参照して説明する。なお、以下の実施の形態では本発明の記録再生装置をビデオカメラに適用した場合で説明するが、本発明が適用されるのはビデオカメラに限られるものではない。
【００１１】
図１は、ビデオカメラ１００の構成を示すブロック図である。
【００１２】
１０１はレンズ、１０２は撮像センサ（ＣＣＤ）、１０３はカメラ信号処理部、１０４は圧縮伸張部、１０５は制御マイコン部、１０６は信号処理部、１０７はハードディスクドライブ（ＨＤＤ）、１０８はＢＤ／ＤＶＤディスクドライブ、１０９は操作スイッチ、１１０は充電部、１１１はバッテリ、１１２は外部電源入力部、１１３は液晶ディスプレイ（ＬＣＤ）、１１４は外部入出力部及び１１５は管理情報生成部である。ＢＤ／ＤＶＤディスクドライブ１０８は、ＢＤ１０８Ａ、ＤＶＤ１０８Ｂのいずれのディスクを挿入しても記録再生ができるディスクドライブである。
【００１３】
なお、図１では各構成を説明の都合上分けて記載したが、回路設計等に応じて適宜1チップにまとめてもよいものとする。制御の容易性や回路設計のスペース上有利になることもあるからである。
【００１４】
先ず、図１で示すビデオカメラ１００の動作を説明する。レンズ１０１を介して被写体の画像をＣＣＤ１０２で捕らえ、ＣＣＤ１０２で捕らえた画像は電気信号に変換され、信号処理部１０３で映像信号に変換される。
【００１５】
この信号処理部１０３で変換された映像信号は、制御マイコン部１０５によって制御された圧縮伸張部１０４にて、デジタル映像信号に変換される。また、外部入出力部１１４に入力を切り換えることで、圧縮伸張部１０４にて外部入力映像信号をデジタル映像信号に変換する事も可能である。
【００１６】
デジタル映像信号に変換された信号は、信号処理部１０６によってＢＤ１０８ＡやＤＶＤ１０８Ｂ、あるいはＨＤＤ１０７といった外部の記録メディアに対して記録される。このようにして、例えば、ＵＤＦ（Universal Disc Format）２．６でフォーマットされたＢＤ−Ｒ（Blu-ray Disc Recordable）ディスク等の記録メディアにデータが記録される。また、ユーザデータの追記等に応じてＭＤ（Meta Data）情報、ＭＤＭ（Meta Data Mirror）情報等の管理情報を更新する必要がある場合には、管理情報生成部１１５で管理情報が生成され、同様に記録メディアに記録される。
【００１７】
さらに操作スイッチ１０９を操作することで制御マイコン部１０５を制御し、信号処理部１０６によってＢＤ１０８ＡやＤＶＤ１０８Ｂに記録された映像信号の読出しを行い、ＨＤＤ１０７に対して記録を行う事でメディア間のダビング処理を行うことが可能である。また同様にＨＤＤ１０７に記録された映像信号に対して読出しを行い、ＢＤ１０８ＡやＤＶＤ１０８Ｂに対して記録を行う事も可能である。
【００１８】
また記録メディアに記録された信号は、圧縮伸張部１０４で映像信号に伸張し、外部入出力部１１４に出力するとともに、液晶ディスプレイ（Liquid Crystal Display , LCD）１１３に対して表示することが可能である。ただし液晶ディスプレイには限られず例えば有機ＥＬディスプレイ（Organic Electroluminescence Display）であってもよい。
【００１９】
さらに外部電源入力部１１２を有し、ＡＣ電源等の外部からの電源供給を可能としている。また、この外部電源入力部１１２から電源が供給されることで充電部１１０によりバッテリ１１１を充電することが可能である。これにより外部電源入力部１１２より電源が供給されているときは外部電源によって機器を動作させ、外部電源が供給されていないときはバッテリ１１１からの電源供給によってビデオカメラ１００内の各機器を動作させる事が可能である。ただし、充電に必要な機能の全てがビデオカメラ１００内に内蔵されている必要は無く、外部電源入力部１１２の外に充電に必要な機能の一部又は全てがあるものであってもよい。
【００２０】
図２は、制御マイコン部１０５に含まれる構成の一部を示す図である。図２に示すように、制御マイコン部１０５は、ＣＰＵ１１、メモリ１２を含んでいる。ＣＰＵ１１は、メモリ１２に記録されたプログラムを実行することにより、ビデオカメラ１００全体を制御する。また、メモリ１２には、ビデオカメラ１００を動作させるための各種プログラムやデータが記録される。メモリ１２には、例えば、記録モード設定プログラム１３及び記録メディア情報１３が記録される。
【００２１】
記録モード設定プログラム１３は、ビデオカメラ１００の起動時における記録モードを設定するためのプログラムである。記録メディア情報１４は、記録メディアがＨＤＤ１０７であるか、ＢＤ／ＤＶＤドライブであるかの情報が記録される。例えば、記録メディア情報１４として「１」が記録されていれば記録メディアはＨＤＤ１０７であると、「０」が記録されていれば記録メディアはＢＤ／ＤＶＤドライブ１０８であると判定される。
【００２２】
次に、ＣＰＵ１１が記録モード設定プログラム１３を実行したときの記録モード設定処理について説明する。図３は、この記録モード設定処理を示すフローチャートである。この処理は、操作スイッチ１０９が操作され、電源ＯＮとなっときに開始される処理である。
【００２３】
先ず、ステップＳ１０１において、記録モードが初期化され、ステップＳ１０２において、ＨＤ画質モードの設定で画面出力される。これにより、ＬＣＤ１１３又は外部入出力部１１４に接続された外部表示装置（例えば、ハイビジョンテレビ等）に、レンズ１０１で撮像された映像がＨＤ画質モードで表示出力される。
【００２４】
続いて、ステップＳ１０３において、記録メディアの対象となるディスクが認識され、ステップＳ１０４において、記録メディアについて判定される。すなわち、メモリ１２に記録された記録メディア情報１４が認識され、記録メディアとしてＨＤＤ１０７が設定されているか、ＢＤ／ＤＶＤドライブ１０８が設定されているかが判定される。既述の例では、記録メディア情報１４として「１」が記録されていればＨＤＤ１０７であると、「０」が記録されていればＢＤ／ＤＶＤドライブ１０８が記録メディアであると判定される。なお、ステップＳ１０３において、ディスク認識処理に時間を要する場合は本処理の開始指示を画面表示ステップＳ１０２の前に行い、画面表示ステップＳ１０２の後でディスクを確定しても良い。
【００２５】
記録メディアがＢＤ／ＤＶＤドライブ１０８であると判定されると（Ｓ１０４：ディスク）、ステップＳ１０５において、ディスクが挿入済みであるか否かが判定される。ディスクが挿入済みでなければ（Ｓ１０５：ＮＯ）、ステップＳ１０６において、記録モードとしてＨＤ画質モードが設定される。これは、ビデオカメラ１００はＨＤ画質モードに対応するビデオカメラであるのでＨＤ画質モードでの使用を想定しているため、ＢＤ１０８Ａに対応させてＨＤ画質モードをデフォルト設定とするほうが望ましいからである。
【００２６】
一方、記録メディアがＨＤＤ１０７であると判定されると（Ｓ１０４：ＨＤＤ）、ステップＳ１０６において、記録モードとして、ＨＤ画質モードが設定される。これは、ＨＤＤ１０７は、ＨＤ画質モードのみの設定となっているからである。
【００２７】
また、ステップＳ１０５においてディスク挿入済みであると判定されると（Ｓ１０５：ＹＥＳ）、ステップＳ１０７において、そのディスクがＢＤ１０８Ａであるか否かが判定される。挿入済みディスクがＢＤ１０８Ａであると判定されると（Ｓ１０７：ＹＥＳ）、ステップＳ１０６へ進み、記録モードとしてＨＤ画質モードが設定される。ＢＤ１０８Ａは高画質対応となっているディスクであるため、ＨＤ画質モードをデフォルト設定とするほうが望ましいからである。
【００２８】
また、ステップＳ１０７において、挿入済みディスクがＢＤ１０８Ａでないと判定されると（Ｓ１０７：ＮＯ）、すなわち、ＤＶＤ１０８Ｂが挿入済みディスクである場合は、ステップＳ１０８において、画面表示切替処理が行われる。つまり、ＤＶＤ１０８ＢはＳＤ画質モードで使用されるため、表示出力がＨＤ画質モードからＳＤ画質モードに切替えられる。そして、ステップＳ１０９において、記録モードとしてＳＤ画質モードが設定される。
【００２９】
このようにステップＳ１０６でＨＤ画質モードの設定、又は、ステップＳ１０９でＳＤ画質モードの設定が終了すると、ビデオカメラ１００の記録モードを設定する処理が終了される。
【００３０】
この実施の形態によると、ビデオカメラ１００を起動したときに、ＨＤ画質モードでＬＣＤ１１３又は／及び外部入出力部１１４に接続された外部表示装置にＨＤ画質モードで出力を行った後、記録メディアがＨＤＤ１０７の場合、記録メディアがＢＤ／ＤＶＤドライブ１０８の場合でディスク未挿入の場合又は挿入されているディスクがＢＤ１０８Ａである場合は、ＨＤ画質モードで記録モードを設定することができる。したがって、表示出力もＨＤ画質モード、記録モードもＨＤ画質モードであるため、先に出力されている表示出力の画質をＳＤ画質モードに変更する必要がなく、ＬＣＤ１１３又は／及び外部入出力部１１４に接続された外部表示装置にノイズ等が発生し、モニター等の表示が乱れることを防止することができる。これにより、ビデオカメラ１００の起動時にユーザは表示の乱れ等を視認することなく快適な操作を実現することができる。
【００３１】
また、記録モード設定処理を起動時に実行することにより、ＨＤ画質モード及びＳＤ画質モードで記録再生できるビデオカメラ１００でも、記録メディアとしてＢＤ／ＤＶＤドライブ１０８が設定され、かつ、ＤＶＤ１０８Ｂが挿入されている場合以外はＨＤ画質モードが記録モードとして設定されるので、ＳＤ画質モードで起動することを想定している従来のＤＶＤドライブで用いていたソフトウェア資源を引き続き活用させることが可能となる。
【００３２】
なお、上記実施の形態では本発明を、ＬＣＤ１１３及び外部表示装置への外部入出力部１１４と、ＨＤＤ１０７と、ＢＤ１０８ＡとＤＶＤ１０８Ｂいずれのディスクの記録再生にも対応するＢＤ／ＤＶＤドライブ１０８とを備え、起動時にＬＣＤ１１３にＨＤ画質モードで表示又は外部入出力部１１４にＨＤ画質モードで表示出力し（Ｓ１０２）、その後、ＨＤＤ１０７及びＢＤ／ＤＶＤドライブ１０８のいずれが記録メディアとして使用するドライブかを認識し（Ｓ１０３）、その認識した結果に基づいて、ＨＤＤ１０７又はＢＤ／ＤＶＤドライブ１０８への記録モードを設定する（Ｓ１０６，Ｓ１０９）記録再生装置１００に適用した場合で説明したが、これに限るものではない。例えば、ビデオカメラ１００は、ＬＣＤ１１３、外部入出力部１１４のいずれかを備えない構成でも良い。
【００３３】
また、使用する記録メディアがＨＤＤ１０７であるかＢＤ／ＤＶＤドライブ１０８であるかを示す記録メディア情報１４を記録するメモリ１２を備え、メモリ１２に記録された記録メディア情報に基づいて記録メディアを認識する場合で説明しているが、記録メディアの判定方法はこれに限られるものではない。
以上、本発明によれば、高画質モード及び低画質モードでの記録再生に対応する記録再生装置でも従来のＤＶＤドライブで用いていたソフトウェア資源を有効に活用することができる記録再生装置及び記録再生装置の記録モード設定方法を提供できる。
【００３４】
本発明は、記録再生装置及びその記録再生装置の記録モード設定方法に広く適用することができる。
【図面の簡単な説明】
【００３５】
【図１】本発明に係わる記録再生装置の構成を示すブロック図である。
【図２】本発明に係わる制御マイコン部に含まれる構成の一部を示す図である。
【図３】本発明に係わる記録モード設定処理を示すフローチャートである。
【符号の説明】
【００３６】
１１…ＣＰＵ、１２…メモリ、１３…記録モード設定プログラム、１４…記録メディア情報記録部、１００…ビデオカメラ（記録再生装置）、１０１…レンズ、１０２…ＣＣＤ、１０５…制御マイコン部、１０７…ハードディスクドライブ、１０８…ＢＤ／ＤＶＤドライブ、１０８Ａ…ＢＤ（Blu-ray Disc）、１０８Ｂ…ＤＶＤ（Digital Versatile Disc）、１１３…ＬＣＤ、１１４…外部入出力部
【図１】
0004939338.tif 000002
【図２】
0004939338.tif 000003
【図３】
0004939338.tif 000004